(57)【要約】      （修正有）【課題】皮膚疾患や皮膚炎の発生を効果的に防ぐことが出来る男性用下着の提供。【解決手段】吸水性の生地から出来た男性用下着であって、下着本体の前部に男性器官を男性用下着から出すことの可能な開口部または切り口部を備えているとともに、その前部に身体から出た汗又は尿を吸収する吸水性の生地からなる男性器官を収容可能な袋状部または男性器官を隠す覆い部を備えている。【選択図】図９
0003124064.tif 000002
【実用新案登録請求の範囲】
【請求項１】
吸水性の生地から出来た男性用下着であって、下着本体の前部に男性器官を男性用下着から出すことの可能な開口部または切り口部を備えているとともに、その前部に身体から出た汗又は尿を吸収する吸水性の生地からなる男性器官を収容可能な袋状部または男性器官を隠す覆い部を備えていることを特徴とする男性用下着。
【考案の詳細な説明】
【技術分野】
【０００１】
本考案は、男性のブリーフ、トランクス、一般に越中褌と言われるＴ字帯等の男性用下着に関する。
【背景技術】
【０００２】
従来の男性用下着は、男性器官は男性器官近傍の身体の皮膚と直接接触可能な構造になっている。
【考案の開示】
【考案が解決しようとする課題】
【０００３】
従来、前述した男性用下着については、男性器官、一般に陰茎ともいう、は男性用下着によって保護され、男性器官からの尿または男性器官および男性器官近傍の身体の皮膚からの汗がズボンに付くのを防いでいる。
【０００４】
ところが、この場合男性器官は男性器官の近傍の身体の皮膚と接触することが多く、前記尿または汗の塩分を含んだ水分が身体の皮膚に付着する。
この結果、皮膚が菌による陰金田虫といわれる皮膚疾患、ただれ、かぶれ、かゆみ等の男性器官近傍の皮膚炎を引き起こすこととなり、不快であるにとどまらず衛生的でないという問題が生じる。
【０００５】
本考案は、尿または汗が男性器官の近傍の身体の皮膚に付着することを解消し、前述のような皮膚疾患や皮膚炎を防ぐことが出来る男性用下着を提供することを目的としているものである。
【課題を解決するための手段】
【０００６】
上記目的を達成するために、本考案は、吸水性の生地から出来た男性用の下着であって、下着本体の前部に男性器官を下着から出すことの可能な開口部または切り口部を備えているとともに、その前部に身体から出た汗または尿を吸収する吸水性の生地からなる男性器官を収容可能な袋状部または男性器官を隠す覆い部を備えていることを特徴としている。
【考案の効果】
【０００７】
以上のような構成の本考案の男性用下着によれば、吸水性の生地から出来た男性用下着であって、下着本体の前部に男性器官を男性用下着から出すことの可能な開口部または切り口部を備えているとともに、その前部に身体から出た汗または尿を吸収する吸水性の生地からなる男性器官を収容可能な袋状部または男性器官を隠す覆い部を備えていることを特徴とするものであるから、男性器官は下着本体によって男性器官近傍の身体の皮膚と直接接触することがなくなる。
【０００８】
また、男性器官からの尿や身体からの汗の塩分を含んだ水分は、吸水性の生地からなる男性器官を収容可能な袋状部または男性器官を隠す覆い部に吸収されるので、男性器官近傍の身体の皮膚疾患や皮膚炎を効果的に解消することが出来る。
【考案を実施するための最良の形態】
【０００９】
以下、本考案の一実施例を図面１〜１１に基づいて説明をする。
図１は男性用下着１であって、一般に越中褌と言われるＴ字帯で、該男性用下着１は男性用下着本体１Ａとその一端部に移動自在または固定された紐状部１０を備えている。
【００１０】
男性用下着本体１Ａは吸水性の生地、例えばタオル地、木綿、ガーゼ、麻などの天然繊維から成っているが、吸水性があれば化学繊維の生地であってもよい。
また、その大きさは縦５０センチメートル、横４５センチメートルであるが、これに限るものではない。
【００１１】
図２は前記図１で示された男性用下着本体１Ａの男性器官が当たる部分に、尿や汗の吸収をよくさせる為に別の吸水性のある生地１１を縫い合わせて、二重にしたものである。この生地１１は下着本体１Ａの生地と通常は同一のものであるが、別の材質であってもよい。
【００１２】
図３は図２の別の吸水性のある生地１１を縫い合わせた男性用下着本体１Ａに男性器官を通すために開けた開口部２を設けた状態のものである。
この開口部２は縦１１センチメートル、横３センチメートルであるが、この寸法は自由に変更可能である。
図３では一定の広がりを持った開口部となっているが、男性器官を通すことが可能であれば、一般にスリットといわれる切り口部でもよい。
また、この切り口部は重なり合うように構成されてもよく、要するに男性器官が外の通る構造のものであればよい。
【００１３】
図４は人が男性用下着１を身に着けたときに、男性器官が下着本体１Ａの外に位置する状態になっているものであるが、男性器官が下着本体１Ａ内に戻るのを防止する防止部材１２であって、材質は下着本体１Ａと同じであるが、異なる材質でもよく、その構造は生地の一端を縫合部１３にて縫い合わせて、筒状にし、その中を結び紐１４が通るようになっている。
【００１４】
そして、この結び紐１４は布紐または伸縮性のあるゴムなどからなり、防止部材１２の筒状内を移動自在になっているが、固定されたものでもよく、防止部材１２の大きさは横幅約２０センチ、高さは約１．５センチであるがこれに限るものではない。
【００１５】
図５に示されるごとく、防止部材１２は上記下着本体１Ａの開口部２の周囲に縫い合わされて、結び紐１４の両端部を結ぶことにより、男性器官に対して締め付け強度があまり強くならないように、男性器官の大きさに合わせて開口部２の大きさを調整可能となっている。
【００１６】
この防止部材１２は男性用下着１を身に着けているときに、特に運動をしている時や、就寝している時などに外れて男性器官が下着本体１Ａ内に戻って男性器官が身体の皮膚と触れるのを効果的に防ぐことが出来る。
【００１７】
図６は下着本体１Ａの開口部２に縫い合わされる身体から出た汗又は尿を吸収する吸水性の生地からなる男性器官を収容可能な袋状部３である。
なお、この袋状部３の材質は、通常は下着本体１Ａと同一のものであるが、異なる材質であってもよい。
また、この袋状部３の大きさは縦２５センチメートル、横１７センチメートルであるが、これに限られるものではない。
【００１８】
図６は袋状部３の正面から見た図であり、点線の部分の縫合部３Ａで下着本体１Ａの縫合部１Ｂに縫い合わされるものである。
【００１９】
図７は袋状部３を裏面から見た図であり、袋状部３を構成する空間部３Ｂに男性器官が収容される。
【００２０】
なお、図面では、男性器官を収容する空間部３Ｂを有する袋状部３となっているが、図示はしないが、要は、下着本体１Ａの外にある男性器官と男性器官の近傍の身体との接触を防止し、身体から出た汗又は尿を吸収する吸水性の生地からなる男性器官を隠す一枚の例えば小さめのハンカチ状の覆い部であってもよい。
【００２１】
図８は図６の袋状部３の縫合部３Ａが下着本体１Ａに縫い合わされる下着本体１Ａ側の縫合部１Ｂを表したものである。
【００２２】
図９は下着本体１Ａに袋状部３が縫合された状態の斜視図であり、図１０は下着本体１Ａに袋状部３が縫合された状態で袋状部３をめくり返して見た斜視図である。
【００２３】
ここにおいて、上記説明の男性用下着１の使用方法を説明すると、この使用順序に限られるものではないが一般には、下着本体１Ａの前部である袋状部３側が体の前部である男性器官に位置するように、男性用下着１の紐状部１０を有する下着本体１Ａ部分が身体の腰の部分、即ち、身体の背中側に来るようにして紐状部１０の両端部を身体の前部で結びつける。
【００２４】
その後、男性用下着１の紐状部１０と反対側の下着本体１Ａの他端部、即ち自由端側を股を通して身体の前部側に持っていき、この他端部を紐状部１０の結び目側の身体と紐状部１０との間を通して下着本体１Ａの他端部を紐状部１０で折り返して垂下させる。
【００２５】
その後、男性器官を下着本体１Ａの開口部２から外側に出し、袋状部３の空間部３Ｂ内に収容して完了するものである。
そして、必要に応じて防止部材１２の結び紐１４の両端部を結ぶことにより、開口部２の大きさを調整する。
【００２６】
図１１は本考案の他の実施例を示したものであって、いわゆるトランクスタイプの男性用下着１である。
【００２７】
この図１１の男性用下着１は、男性用下着１の前部に開口部２を設けて、この開口部２の外側に男性器官を収納可能な袋状部３を備えたものであって、形状は異なるが基本的な考え方は第一実施例と同様である。
【００２８】
なお、この他に、図示はしないが、いわゆるブリーフタイプのものであっても、上記実施例と同様な構造を採用することができる。
【図面の簡単な説明】
【００２９】
【図１】本考案に係る男性用下着の正面図
【図２】男性用下着に別の生地を縫い合わせた正面図
【図３】男性用下着に開口部を設けた正面図
【図４】男性用下着に縫い合わされる防止部材の正面図
【図５】防止部材を男性用下着に縫い合わせた状態の斜視図
【図６】袋状部の正面図
【図７】袋状部の裏面図
【図８】袋状部の縫合部が縫い合わされる下着本体側の縫合部を示す正面図
【図９】下着本体に袋状部が縫合された状態の斜視図
【図１０】下着本体に袋状部が縫合された状態で袋状部をめくり返して見た斜視図
【図１１】本考案の他の実施例の男性用下着の正面図
【符号の説明】
【００３０】
１男性用下着
１Ａ下着本体
１Ｂ縫合部
２開口部
３袋状部
３Ａ縫合部
３Ｂ空間部
１０紐状部
１１生地
１２防止部材
１３縫合部
１４結び紐
【図１】
0003124064.tif 000003
【図２】
0003124064.tif 000004
【図３】
0003124064.tif 000005
【図４】
0003124064.tif 000006
【図５】
0003124064.tif 000007
【図６】
0003124064.tif 000008
【図７】
0003124064.tif 000009
【図８】
0003124064.tif 000010
【図９】
0003124064.tif 000011
【図１０】
0003124064.tif 000012
【図１１】
0003124064.tif 000013